(57)【特許請求の範囲】
【請求項１】
放出すべき製品の容器とともに用いるための機械的に付勢された持続性噴霧機構であって、
前記容器を閉じるための前記容器の上端部への取付けのための手段をその上に有するシリンダリテーナクロージャであって、当該シリンダリテーナクロージャを貫通する中央開口部を有するシリンダリテーナクロージャと、
上端部と、貫通する開口部を有する閉じた下端部と、細長いシリンダを通って延びている中空穴部を画成する内面とを有する細長いシリンダであって、前記シリンダの前記上端部は、その中央部で、前記シリンダリテーナクロージャに固定接続され、その前記中空穴部が、前記シリンダリテーナクロージャを貫通した前記中央開口部と位置合わせされた状態でそこから垂下している、細長いシリンダと、
前記シリンダリテーナクロージャに対する回転運動のために、前記シリンダリテーナクロージャに接続されているが、それらの間の相対軸方向運動に抗して固定された回転可能な作動カラーであって、前記シリンダリテーナクロージャを介して前記中央開口部と位置合わせされると共に当該作動カラーを貫通する中央開口部を有する回転可能な作動カラー、および、細長いシャフトの下端部が前記シリンダの下端部に隣接する状態で、その中央部から垂下し、前記シリンダリテーナクロージャ内で前記中央開口部を通って延びている細長いシャフトであって、前記シャフトは、前記作動カラーから前記シリンダ内に同軸に延び、および前記作動カラーとともに回転可能であるが、それらの間の相対軸方向運動に抗して固定され、前記シャフトは、その長さ全体にわたって延びている内部中空穴部を有し、前記シャフトの前記中空穴部は、前記シリンダリテーナクロージャを貫通した前記中央開口部と、前記シリンダの前記閉じた下端部を貫通した前記開口部とに位置合わせされ、前記シャフトは、前記シリンダ内面に対して内側に離間したスプライン状の外側面と、前記シャフトの中空穴部と、前記シリンダの中空穴部との間の流体的連通を確立するその中の少なくとも１つの開口部とを有する細長いシャフトと、
前記シリンダリテーナクロージャを貫通した前記中央開口部と関連する第１の弁手段と、
前記作動カラーを貫通した前記中央開口部に対して、前記第１の弁手段を閉位置から開位置へ動かして、前記作動カラーの前記中央開口部を通る流体フローを選択的に遮断または可能にするように、前記第１の弁手段に接続されたバルブアクチュエータと、
前記シリンダの前記閉じた下端部を貫通した前記開口部と関連する第２の弁手段であって、前記シリンダの前記中空穴部への製品のフローを可能にするとともに、そこを通る逆のフローは防ぐように動作可能である、第２の弁手段と、
２つの環状ピストンの互いに反対方向での同時運動のために、互いに対して密閉された軸方向摺動関係で前記シャフトに取り付けられた２つの環状ピストンであって、前記シャフトに対する回転運動に抗して固定され、各々が、それに対して密閉された摺動関係で前記シリンダの前記内面に係合された外側面を有する、２つの環状ピストンと、
前記作動カラーおよび前記シャフトが、前記シリンダに対して第１の方向に回転した場合、前記ピストンを、前記シリンダ内で互いに第１の方向に動かすための、前記ピストンの前記外側面と、前記シリンダの前記内面との間の相互係合手段であって、前記ピストンの前記第１の方向での前記動きは、前記機構が製品の容器に取り付けられたときに、前記第２の弁手段を通って、および前記シャフトの前記中空穴部へ、および前記シャフトの中の前記開口部を通って、および前記シリンダの中空穴部に製品を引き込むように動作可能である相互係合手段と、
前記ピストンが互いに前記第１の方向に動いたときにエネルギを蓄積する、前記ピストンおよび前記シリンダに関連するエネルギ蓄積手段であって、前記エネルギ蓄積手段は、前記機構が、放出すべき製品の容器に取り付けられて、前記バルブアクチュエータが、前記第１の弁手段を開位置へ動かすように作動された場合、前記第１の方向とは逆の第２の方向に前記ピストンを互いに動かして、前記シリンダの前記中空穴部に引き込まれた製品に圧力をかけて、前記第１の弁手段を通過させそれを前記作動カラー内に押し進めるように動作可能である、エネルギ蓄積手段と、を備える、機械的に付勢された持続性噴霧機構。
【請求項２】
前記エネルギ蓄積手段は、前記少なくとも１つのピストンを前記第２の方向に動かすように、それと係合されたばねを備える、請求項１に記載の機械的に付勢された持続性噴霧機構。
【請求項３】
前記エネルギ蓄積手段は、前記シリンダ穴部に接続された空気圧手段を備え、前記空気圧手段はガスを収容し、前記第１の方向での前記ピストンの動きは、前記ガスを圧縮してそれを加圧するように作用し、前記加圧されたガスは、前記ピストンに前記第２の方向の力を及ぼし、それにより、前記機構が、放出すべき製品の容器に取り付けられた場合、前記第１の弁手段が開かれたときに、前記ピストンが前記第２の方向に移動して、前記シリンダ穴部から製品を吐出させる、請求項１に記載の機械的に付勢された持続性噴霧機構。
【請求項４】
前記エネルギ蓄積手段は、前記少なくとも１つのピストンが前記第１の方向に動かされた場合に、弾性的に変形して、前記少なくとも１つのピストンに前記第２の方向の力を及ぼすように前記少なくとも１つのピストンに接続された弾性部材を備え、それにより、前記機構が、放出すべき製品の容器に取り付けられた場合、前記第１の弁手段が開かれたときに、前記少なくとも１つのピストンが前記第２の方向に移動して、前記シリンダ穴部から製品を吐出させる、請求項１に記載の機械的に付勢された持続性噴霧機構。
【請求項５】
前記２つのピストンは、前記シリンダのそれぞれの両端部に静止位置を有し、各前記ピストンは、前記作動カラーおよび前記シャフトの前記第１の方向への回転時に、前記シリンダのそれらそれぞれの端部から離れて、前記シリンダの長手方向中央部へ向かう動きに関する前記第１の方向と、前記シリンダの前記中央部から離れて、前記シリンダのそれぞれの両端部に向かって戻る動きに関する前記第２の方向とを有し、
前記シャフトの前記少なくとも１つの開口部は、前記シャフトの両端部のそれぞれの側部における開口部を含み、前記シャフトの両端部のそれぞれの側部における前記開口部は、それぞれのピストンと前記シリンダのそれぞれ隣接する端部との間で、前記シャフト穴部と前記シリンダの両端部との間に流体的連通を確立し、それにより、前記ピストンのそれらの前記第１の方向での動作時に、製品が、前記シャフト穴部に引き込まれて、その中の前記シャフトの両端部のそれぞれの側部における前記開口部を通って外部へ出て、前記シリンダ穴部の前記それぞれの両端部に入り、
前記エネルギ蓄積手段は、前記２つのピストン間に係合されたばねを備え、前記ばねは、前記ピストンの、それらの前記第１の方向での動作時に圧縮され、前記シリンダの中央部から前記シリンダのそれぞれの両端部に向かって戻す、それらそれぞれの前記第２の方向に前記ピストンを動かすように作動可能であり、それにより、前記機構が、放出すべき製品の容器に取り付けられた場合、第１の弁手段が開かれたときに、前記ピストンが、前記シリンダ穴部の前記両端部にある製品に圧力を及ぼして、それを前記シャフト穴部に押し戻して、第１の弁手段を介して外部へ出す、請求項１に記載の機械的に付勢された持続性噴霧機構。
【請求項６】
前記２つのピストンは、前記シリンダの長手方向中央部に静止位置を有し、各前記ピストンは、前記作動カラーおよび前記シャフトの前記第１の方向での回転時に、それらの中央部から離れて、前記シリンダのそれぞれの両端部に向かう動きに関する前記第１の方向と、前記シリンダのそれぞれの両端部から離れて、前記シリンダの中央部に向かって戻る動きに関する前記第２の方向とを有し、
前記シャフトの前記少なくとも１つの開口部は、それぞれのピストン間の前記シャフト穴部と前記シリンダ穴部の中央部との間に流体的連通を確立し、それにより、前記機構が、放出すべき製品の容器に取り付けられた場合、前記ピストンのそれらの前記第１の方向での動作時に、製品が前記シャフト穴部に引き込まれて、その中の前記シャフトの前記開口部を通って外部へ出て、前記シリンダ穴部の前記中央部に入り、および
前記エネルギ蓄積手段は、前記シリンダ穴部に接続された空気圧手段を備え、前記空気圧手段はガスを収容し、および前記ピストンのそれらの前記第１の方向での動きは、前記ガスを圧縮してそれを加圧し、前記加圧されたガスは、前記ピストンの一方に力を及ぼしてそれを前記第２の方向へ動かし、そのことが、前記シャフトを回転させ、それにより、前記ピストンの他方を、その前記第２の方向へ動かし、それにより、前記機構が放出すべき製品の容器に取り付けられた場合、前記第１の弁手段が開かれたときに、前記ピストンは、それらの前記第２の方向に移動して、前記シリンダ穴部の中央部にある製品に圧力を及ぼしてそれを前記シリンダ穴部から吐出させる、請求項１に記載の機械的に付勢された持続性噴霧機構。
【請求項７】
前記空気圧手段は、前記加圧されたガスと前記一方のピストンとの間に接続された駆動ピストンを含み、前記加圧されたガスは、前記駆動ピストンに前記第２の方向の力を及ぼし、そのこともまた、前記一方のピストンに前記第２の方向の力を及ぼす、請求項６に記載の機械的に付勢された持続性噴霧機構。
【請求項８】
前記空気圧手段は、前記加圧されたガスと前記少なくとも１つのピストンとの間に接続された駆動ピストンを含み、前記加圧されたガスは、前記駆動ピストンに前記第２の方向の力を及ぼし、そのこともまた、前記少なくとも１つのピストンに前記第２の方向の力を及ぼす、請求項３に記載の機械的に付勢された持続性噴霧機構。
【請求項９】
前記ピストンの前記外側面と、前記シリンダの前記内面との間の前記相互係合手段は、前記面の一方に突出部を、前記面の他方に相補的形状の凹部を備える、請求項１に記載の機械的に付勢された持続性噴霧機構。
【請求項１０】
前記シリンダリテーナクロージャと前記作動カラーはそれぞれ、前記作動カラーの把持および回転を容易にするための把持手段をその上に備えた外周壁部を有する、請求項１に記載の機械的に付勢された持続性噴霧機構。
【請求項１１】
前記弾性部材は、前記少なくとも１つのピストンが前記第１の方向に動かされた場合に伸ばされるように接続される、請求項４に記載の機械的に付勢された持続性噴霧機構。
【請求項１２】
前記シリンダの上端部は、前記シリンダリテーナクロージャの底部側面に接続され、
前記作動カラーは、前記シリンダリテーナクロージャの上部側面で、前記シリンダリテーナクロージャに接続される、請求項１に記載の機械的に付勢された持続性噴霧機構。
【請求項１３】
前記ピストンはそれぞれ、その内面に、前記ピストンと前記シャフトとの間の相対回転を防ぐように、前記シャフトの外側面のスプラインと係合されるスプラインを有し、
前記ピストンの前記外側面と、前記シリンダの前記内面との間の相互係合手段は、前記ピストンの前記外側面に、および前記シリンダの前記内面に、隆起したカム状のらせん状構造を備える、請求項１に記載の機械的に付勢された持続性噴霧機構。
【請求項１４】
放出すべき製品の容器とともに用いるための機械的に付勢された持続性噴霧機構であって、
前記容器を閉じるための前記容器の上端部への取付けのための手段をその上に有するシリンダリテーナクロージャであって、前記シリンダリテーナクロージャを貫通する中央開口部を有するシリンダリテーナクロージャと、
前記シリンダリテーナクロージャを貫通する前記中央開口部と同軸関係で前記シリンダリテーナクロージャに接続された上端部を有し、およびそこから、貫通する開口部を備えた閉じた下端部まで垂下する細長いシリンダであって、前記シリンダを介して延びる中空穴部を画成する内面を有する、細長いシリンダと、
前記シリンダリテーナクロージャに対する回転運動のために、前記シリンダリテーナクロージャに接続されているが、それらの間の相対軸方向運動に抗して固定された回転可能な作動カラーであって、前記作動カラーは、シャフトの下端部が前記シリンダの前記下端部に隣接して配置された状態で、その中央部から垂下し、前記中央開口部を介して前記シリンダリテーナクロージャ内に延びている細長いシャフトを有し、前記シャフトは、前記作動カラーとともに回転可能であり、および内部中空穴部がその長さ全体にわたって延びている円筒形壁部を有し、前記シャフトの前記中空穴部は、前記シリンダの前記閉じた下端部を貫通した前記開口部と位置合わせされ、および前記シャフトの円筒形壁部は、前記シリンダ内面に対して内側に離間したスプライン状の外側面と、前記シャフトの中空穴部と、前記シリンダの中空穴部との間の流体的連通を確立するその側部を通る少なくとも１つの開口部とを有する、回転可能な作動カラーと、
前記作動カラーを介して前記中央開口部と関連する第１の弁手段と、
前記作動カラーを介して前記中央開口部に関して、前記第１の弁手段を閉位置から開位置へ動かして、前記中央開口部を通る流体フローを選択的に遮断または可能にするように、前記第１の弁手段に接続されたバルブアクチュエータと、
前記シリンダの前記閉じた下端部を貫通した前記開口部と関連する第２の弁手段であって、前記第２の弁手段は、前記シリンダの前記中空穴部への製品のフローを可能にするが、そこを通る逆のフローは防ぐように動作可能である、第２の弁手段と、
少なくとも１つの環状ピストンに対して密閉された軸方向摺動関係で前記シャフトに取り付けられた少なくとも１つの環状ピストンであって、前記少なくとも１つのピストンは、前記シャフトに対する回転運動に抗して固定され、および、それに対して密閉された摺動関係で前記シリンダの前記内面に係合された外側面を有する、少なくとも１つの環状ピストンと、
前記作動カラーおよび前記シャフトが、前記シリンダに対して第１の方向に回転した場合に、前記少なくとも１つのピストンを、前記シリンダ内で第１の方向で軸方向に動かすための、前記少なくとも１つのピストンの前記外側面と、前記シリンダの前記内面との間の相互係合手段であって、前記少なくとも１つのピストンの前記第１の方向での前記動きは、前記機構が製品の容器に取り付けられたときに、前記第２の弁手段を通って前記シャフトの前記中空穴部へ、およびその中の前記開口部を通って前記シリンダの中空穴部に製品を引き込むように動作可能である相互係合手段と、
前記少なくとも１つのピストンが前記第１の方向に動いたときにエネルギを蓄積する、前記少なくとも１つのピストンおよび前記シリンダに関連するエネルギ蓄積手段であって、前記エネルギ蓄積手段は、前記機構が、放出すべき製品の容器に取り付けられて、前記バルブアクチュエータが、前記第１の弁手段を開位置へ動かすように作動された場合に、前記第１の方向とは逆の第２の方向に前記少なくとも１つのピストンを動かして、前記シリンダの前記中空穴部に引き込まれた製品に圧力をかけて、シャフト壁部内の前記カラーの少なくとも１つの開口部を通って、および前記第１の弁手段を通過させそれを前記作動カラー内に押し進めるように動作可能である、エネルギ蓄積手段と、を備える、機械的に付勢された持続性噴霧機構。
【請求項１５】
前記少なくとも１つのピストンは、前記シリンダの一方の端部において、前記シャフトに取り付けられた単一のピストンを備え、および
前記エネルギ蓄積手段は、前記ピストンと、前記シリンダの対向端部との間に係合されたばねを備える、請求項１４に記載の機械的に付勢された持続性噴霧機構。
【請求項１６】
前記少なくとも１つのピストンの前記外側面と、前記シリンダの前記内面との間の前記相互係合手段は、前記面の一方に突出部を、および前記面の他方に相補的形状の凹部を備える、請求項１４に記載の機械的に付勢された持続性噴霧機構。
【請求項１７】
前記少なくとも１つのピストンは、その内面に、前記少なくとも１つのピストンと前記シャフトとの間の相対回転を防ぐように、前記シャフトの外側面のスプラインと係合されるスプラインを有し、および
前記少なくとも１つのピストンの前記外側面と、前記シリンダの前記内面との間の相互係合手段は、前記少なくとも１つのピストンの前記外側面に、および前記シリンダの前記内面に、隆起したカム状のらせん状構造を備える、請求項１４に記載の機械的に付勢された持続性噴霧機構。
【請求項１８】
前記エネルギ蓄積手段は、前記シリンダ穴部に接続された空気圧手段を備え、前記空気圧手段はガスを収容し、前記第１の方向での前記少なくとも１つのピストンの動きは、前記ガスを圧縮してそれを加圧し、前記加圧されたガスは、前記少なくとも１つのピストンに前記第２の方向の力を及ぼし、それにより、前記機構が、放出すべき製品の容器に取り付けられた場合、前記第１の弁手段が開かれたときに、前記少なくとも１つのピストンが前記第２の方向に移動して、前記シリンダ穴部から製品を吐出させる、請求項１４に記載の機械的に付勢された持続性噴霧機構。
【請求項１９】
前記エネルギ蓄積手段は、前記少なくとも１つのピストンが前記第１の方向に動かされた場合に弾性的に変形して、前記少なくとも１つのピストンに前記第２の方向の力を及ぼすように前記少なくとも１つのピストンに接続された弾性部材を備え、それにより、前記機構が、放出すべき製品の容器に取り付けられた場合、前記第１の弁手段が開かれたときに、前記少なくとも１つのピストンが前記第２の方向に移動して、前記シリンダ穴部から製品を吐出させる、請求項１４に記載の機械的に付勢された持続性噴霧機構。
【請求項２０】
放出すべき製品の容器とともに用いるための機械的に付勢された持続性噴霧機構であって、
前記容器を閉じるための前記容器の上端部への取付けのための手段をその上に有するシリンダリテーナクロージャであって、前記シリンダリテーナクロージャを貫通する中央開口部を有するシリンダリテーナクロージャと、
その中央部において前記シリンダリテーナクロージャに接続された上端部を有し、およびそこから、前記シリンダを貫通する開口部を有する閉じた下端部まで垂下している細長いシリンダであって、前記シリンダが、その長さ全体にわたって実質的に均一な直径と、前記シリンダを通って延びる中空穴部を画成する内面とを有する、細長いシリンダと、
前記シリンダリテーナクロージャが取り付けられているが、それらの間の相対軸方向運動に抗して固定された回転可能な作動カラーと、
前記作動カラーの中央部から垂下し、および前記シリンダリテーナクロージャ内で前記中央開口部を通って延びている細長いシャフトであって、前記シャフトは、その長さ全体にわたって実質的に均一な直径と、前記シリンダの下端部に隣接する下端部とを有し、前記シャフトは、前記作動カラーから前記シリンダ内に同軸に延び、および前記作動カラーとともに回転可能であり、およびその長さ全体にわたって延びている内部中空穴部を有し、前記シャフトの前記中空穴部は、前記作動カラーを貫通した前記中央開口部と、および前記シリンダの前記閉じた下端部を貫通した前記開口部と位置合わせされ、前記シャフトは、前記シリンダ内面に関して内側に離間したスプライン状の外側面と、前記シャフトの中空穴部と、前記シリンダの中空穴部との間で流体的連通を確立する、その側部の少なくとも１つの開口部とを有する、細長いシャフトと、
前記作動カラーを貫通した前記中央開口部と関連する第１の弁手段と、
前記作動カラーを貫通した前記中央開口部に関して、前記第１の弁手段を閉位置から開位置へ動かして、前記中央開口部を通る流体フローを選択的に遮断または可能にするように、前記第１の弁手段に接続されたバルブアクチュエータと、
前記シリンダの前記閉じた下端部を貫通した前記開口部と関連する第２の弁手段であって、前記シリンダの前記中空穴部への製品のフローを可能にするとともに、そこを通る逆のフローは防ぐように動作可能である、第２の弁手段と、
少なくとも１つの環状ピストンに対して密閉された軸方向摺動関係で前記シャフトに取り付けられた少なくとも１つの環状ピストンであって、前記少なくとも１つのピストンは、前記シャフトに対する回転運動に抗して固定され、および、それに対して密閉された摺動関係で前記シリンダの前記内面に係合された外側面を有する、少なくとも１つの環状ピストンと、
前記作動カラーおよび前記シャフトが、前記シリンダに対して第１の方向に回転した場合に、前記少なくとも１つのピストンを、前記シリンダ内で第１の方向で軸方向に動かすための、前記少なくとも１つのピストンの前記外側面と、前記シリンダの前記内面との間の相互係合手段であって、前記少なくとも１つのピストンの前記第１の方向での前記動きは、前記機構が製品の容器に取り付けられたときに、前記第２の弁手段を通って、および前記シャフトの前記中空穴部へ、およびその中の前記シャフトの前記開口部を通って、前記シリンダの中空穴部に製品を引き込むように動作可能である相互係合手段と、
前記少なくとも１つのピストンが前記第１の方向に動いたときにエネルギを蓄積する、前記少なくとも１つのピストンおよび前記シリンダに関連するエネルギ蓄積手段であって、前記エネルギ蓄積手段は、前記機構が、放出すべき製品の容器に取り付けられて、前記バルブアクチュエータが、前記第１の弁手段を開位置へ動かすように作動された場合に、前記第１の方向とは逆の第２の方向に前記少なくとも１つのピストンを動かして、前記シリンダの前記中空穴部に引き込まれた製品に圧力をかけて、前記第１の弁手段を通過させ前記作動カラー内に押し進めるように動作可能である、エネルギ蓄積手段と、
を備える、機械的に付勢された持続性噴霧機構。
【請求項２１】
放出すべき製品の容器とともに用いるための機械的に付勢された持続性噴霧機構であって、
前記容器を閉じるための前記容器の上端部への取付けのための手段をその上に有するシリンダリテーナクロージャであって、前記シリンダリテーナクロージャが、前記シリンダリテーナクロージャを貫通する中央開口部を有するシリンダリテーナクロージャと、
上端部と、シリンダを貫通する開口部を有する閉じた下端部と、細長いシリンダを通って延びている中空穴部を画成する内面とを有する細長いシリンダであって、前記シリンダの前記上端部は、その中央部で、前記シリンダリテーナクロージャに接続され、およびその前記中空穴部が、前記シリンダリテーナクロージャを貫通した前記中央開口部と同軸になっている状態でそこから垂下している、細長いシリンダと、
前記シリンダリテーナクロージャに対する回転運動のために、前記シリンダリテーナクロージャに接続されているが、それらの間の相対軸方向運動に抗して固定された回転可能な作動カラーと、
細長いシャフトの下端部が前記シリンダの下端部に隣接する状態で、前記作動カラーの中央部から垂下し、および前記シリンダリテーナクロージャ内で前記中央開口部を通って延びている細長いシャフトであって、前記シャフトは、前記作動カラーとともに回転可能であり、およびその長さ全体にわたって延びている内部中空穴部を有し、前記シャフトの前記中空穴部は、前記シリンダの前記閉じた下端部を貫通した前記開口部に位置合わせされ、前記シャフトは、前記シリンダ内面に対して内側に離間したスプライン状の外側面と、前記シャフトの中空穴部と、前記シリンダの中空穴部との間の流体的連通を確立するその中の少なくとも１つの開口部とを有する細長いシャフトと、
前記シリンダリテーナクロージャを貫通した前記中央開口部と関連する第１の弁手段と、
前記作動カラーを貫通した前記中央開口部に関して、前記第１の弁手段を閉位置から開位置へ動かして、前記中央開口部を通る流体フローを選択的に遮断または可能にするように、前記第１の弁手段に接続されたバルブアクチュエータと、
前記シリンダの前記閉じた下端部を貫通した前記開口部と関連する第２の弁手段であって、前記シリンダの前記中空穴部への製品のフローを可能にするとともに、そこを通る逆のフローは防ぐように動作可能である、第２の弁手段と、
２つの環状ピストンの互いに反対方向での同時運動のために、互いに対して密閉された軸方向摺動関係で前記シャフトに取り付けられた２つの環状ピストンであって、前記ピストンは、前記シャフトに対する回転運動に抗して固定され、および各々が、それに対して密閉された摺動関係で前記シリンダの前記内面に係合された外側面を有する、２つの環状ピストンと、
前記作動カラーおよび前記シャフトが、前記シリンダに対して第１の方向に回転した場合に、前記ピストンを、前記シリンダ内で互いに第１の方向に動かすための、前記ピストンの前記外側面と、前記シリンダの前記内面との間の相互係合手段であって、前記ピストンの前記第１の方向での前記動きは、前記機構が製品の容器に取り付けられたときに、前記第２の弁手段を通って、および前記シャフトの前記中空穴部へ、およびその中の前記シャフトの前記開口部を通って、および前記シリンダの中空穴部に製品を引き込むように動作可能である相互係合手段と、
前記ピストンが互いに前記第１の方向に動いたときにエネルギを蓄積する、前記ピストンおよび前記シリンダに関連するエネルギ蓄積手段であって、前記エネルギ蓄積手段は、前記機構が、放出すべき製品の容器に取り付けられて、前記バルブアクチュエータが、前記第１の弁手段を開位置へ動かすように作動された場合に、前記第１の方向とは逆の第２の方向に前記ピストンを互いに動かして、前記シリンダの前記中空穴部に引き込まれた製品に圧力をかけて、前記第１の弁手段を通過させそれを前記作動カラー内に押し進めるように動作可能である、エネルギ蓄積手段と、を備える、機械的に付勢された持続性噴霧機構。
【発明の詳細な説明】
【技術分野】
【０００１】
本発明は、ディスペンサ、具体的には、機械的に付勢され、および非化学的手段によって加圧される持続性噴霧ディスペンサに関する。
【背景技術】
【０００２】
化学的に駆動される噴霧ディスペンサおよび機械的に作動する噴霧ディスペンサはともに便利であるため、長年使用されており、いまだに人気がある。しかし、化学的高圧ガスを使用するエアロゾルディスペンサには、益々厳しい視線が注がれ、また、環境に対する悪影響、取り扱いに付随する危険、および関連する保険料により、こうしたディスペンサには制限が課せられている。また、従来の非化学的機械的噴霧ディスペンサは容積が大きく、一般的に、動作に多くのステップを要し、特に、関節炎等の障害に苦しむ人による操作が困難であるため、典型的には、化学的に駆動されるエアロゾルと比較して不利である。また、それらのディスペンサは、大量の部材と、該部材を製造するための大量の材料とを必要とし、そのことがエネルギコストを増加させ、製造コストを非常に高くしている。このことも同様に、消費者製品の低価格帯での利用に対してコストを高くしすぎている。さらに、缶内に袋を含む、または缶装置内に加圧ピストンを含むエアロゾル高圧ガス駆動システムからの変更は、一般的に敬遠されている。
【０００３】
いくつかの機械的に作動するエアロゾル装置は、まず、一定量の製品を得た後に、一定期間にわたって該製品を所要量放出するための圧力を生成するパワーチャンバ内に移動させなければならないステップを必要とする格納チャンバを組み込んでいる。この種の装置はエネルギ的に非効率であり、保存期間中または使用中に劣化し、独特の材料構造と、現在ではフィンガポンプや化学的エアロゾルバルブを用いる望ましい幅広い製品とともに使用するための動的性質とにより、コストがかかりすぎる。缶内に袋がある装置は、化学的エアロゾル放出の特性をすべて備えていない複雑なシステムである。
【０００４】
例として、米国特許出願公開第４，３８７，８３３号明細書（特許文献１）および米国特許出願公開第４，４２３，８２９号明細書（特許文献２）は、上記の欠点のいくつかを呈している。
【０００５】
Ｓｐａｔｚによる米国特許出願公開第４，１４７，２８０号明細書（特許文献３）は、製品を噴霧として放出するために、通常とは異なる操作のための二重セパレートらせん状部およびカップを必要とする。
【０００６】
Ｃａｐｒａ等による米国特許出願公開第４，１６７，９４１号明細書（特許文献４）は、格納チャンバを必要とする。
【０００７】
Ｃａｐｒａ等による米国特許出願公開第４，１７４，０５２号明細書（特許文献５）は、格納チャンバを必要とする。
【０００８】
Ｃａｐｒａ等による米国特許出願公開第４，１７４，０５５号明細書（特許文献６）は、格納チャンバを必要とする。
【０００９】
Ｃａｐｒａ等による米国特許出願公開第４，２２２，５００号明細書（特許文献７）は、格納チャンバを必要とする。
【００１０】
Ｈａｍｍｅｔ等による米国特許出願公開第４，８７２，５９５号明細書（特許文献８）は、格納チャンバを必要とする。
【００１１】
Ｈｕｔｃｈｅｓｏｎ等による米国特許出願公開第５，１８３，１８５号明細書（特許文献９）は、格納チャンバを必要とする。
【００１２】
Ｂｌａｋｅによる米国特許第６，７０８，８５２号明細書（特許文献１０）は、格納チャンバと、作動させるための複数の動作を必要とする。
【００１３】
その他、興味深い米国特許出願公開第４，４２３，８２９号明細書（特許文献２）および米国特許出願公開第４，３８７，８３３号明細書（特許文献１）が参照される。これらすべてには、商品の受入れと、現在の市場用途において高いレベルで大量生産される実現可能性とに対する、価格に欠点がある。
【００１４】
上記の特許で示されているこのような装置に関する努力にもかかわらず、一般的な用途において、化学的に付勢されるディスペンサと同程度に、製品を放出する、使うのにより便利で、より安く、コンパクトな機械的に付勢される持続性噴霧機構に対する要求が依然としてある。具体的には、従来の化学的および機械的に付勢されるエアロゾルディスペンサに伴う欠点のない一回転で作動する持続性噴霧ポンプ放出システムを有することが望まれている。
【先行技術文献】
【特許文献】
【００１５】
【特許文献１】米国特許出願公開第４，３８７，８３３号明細書
【特許文献２】米国特許出願公開第４，４２３，８２９号明細書
【特許文献３】米国特許出願公開第４，１４７，２８０号明細書
【特許文献４】米国特許出願公開第４，１６７，０４１号明細書
【特許文献５】米国特許出願公開第４，１７４，０５２号明細書
【特許文献６】米国特許出願公開第４，１７４，０５５号明細書
【特許文献７】米国特許出願公開第４，２２２，５００号明細書
【特許文献８】米国特許出願公開第４，８７２，５９５号明細書
【特許文献９】米国特許出願公開第５，１８３，１８５号明細書
【特許文献１０】米国特許第６，７０８，８５２号明細書
【発明の概要】
【発明が解決しようとする課題】
【００１６】
本発明の目的は、その動作のために化学的高圧ガスに依拠しない持続性噴霧ディスペンサを提供することである。
【００１７】
本発明の別の目的は、従来の機械的に作動するエアロゾルディスペンサに用いられている装填チャンバ技術の必要性をなくし、そのような吐出システムの作動に伴う複数のステップを減らし、利便性において化学的に付勢されるディスペンサシステムに近い機械的に作動するシステムを提供することである。
本発明の別の目的は、フィンガポンプおよびトリガーポンプのサイズに近い該システムのサイズを形成し、競争力を生み出すことである。
本発明のさらなる目的は、複数のストロークを要することなく、持続性噴霧を生じさせる、機械的に付勢される噴霧ディスペンサを提供することである。
【００１８】
本発明の別の目的は、複数の操作ステップを要することなく、持続性噴霧を得られるようにし、およびそのような噴霧ディスペンサが、現時点でフィンガポンプを利用する製品用を含む魅力的なネック仕上げを有することを可能にする、噴霧ディスペンサ用の機械的に付勢される作動システムを提供することである。
【００１９】
本発明の別の目的は、単一ストロークポンプにおける部材の数と同程度の部材の数を有し、従来の機械的に付勢されるディスペンサよりも長く噴霧が持続する持続性噴霧を提供することである。
【００２０】
本発明のさらに別の目的は、製品を加圧して、それを放出する状態にするためのアクチュエータの一回転によって機械的に付勢される持続性噴霧ディスペンサであって、圧力をその製品にかけて放出するための一回転アクチュエータを用いて、異なる動力源を用いることができる持続性噴霧ディスペンサを提供することである。
【００２１】
本発明のさらなる目的、利点および新規な特徴は、以下の説明にある程度記載され、および以下のことを検証すれば、当業者にはある程度明らかになるであろうし、また、本発明の実施によって理解できるだろう。これらの目的および利点は、添付クレームで具体的に指摘されている手段および組合せによって実現および達成することができる。
【００２２】
上記の目的およびその他の目的を達成するために、および本願明細書に広範に記載されている本発明の目的に従って、本発明の機構に関する異なる実施形態が開示されている。新たな機構は、２つの異なる方向、すなわち、従来の弁を介して噴射を開始できるようになる前に、装填チャンバを満たすための一方向と、そのチャンバ容量を弾性貯蔵部へ移すための他方の方向とに数回、回さなければならない従来技術によるシステムにおいて必要ないくつかの機能をなくす。
【課題を解決するための手段】
【００２３】
本発明の機械的に作動する機構は、消費者が、作動カラー上で３６０度の一回転を用いることと、噴霧アクチュエータを押し下げることにより、噴射すべき製品の持続性噴霧を得ることとを可能にする。その新たな機構は、かなり小さなネック仕上げに用いることができるため、ピストン・シリンダ間の直径は、かなり小さな力でのより容易な作動を可能にする。それらの力は、対向するピストンと、それらを駆動するシリンダ部との間のねじとらせん状構造との組合せの境界で受ける摩擦のみで構成されている。これらの新たな機構において、放出すべき製品に圧力をかける力を生じさせる、ばね、空気圧アセンブリ、または弾性取付け具の伸縮等のエネルギ蓄積装置の駆動力によって生じる「スピンバック」を制御する必要はない。これらの新たな機構は、例えば、米国特許第６，５４３，７０３号明細書および米国特許第６，６０９，６６６号明細書に示されている標準的な噴霧アクチュエータまたはアクチュエータとともに用いることができる。
より具体的には、本発明は、放出すべき製品の容器とともに用いるための機械的に付勢される持続性噴霧機構を備え、該機構は、
該容器を閉じるための該容器の上端部への取付けのための手段をその上に有するシリンダリテーナクロージャであって、前記シリンダリテーナクロージャが、貫通する中央開口部を有するシリンダリテーナクロージャと、
上端部と、貫通する開口部を有する閉じた下端部と、細長いシリンダを通って延びている中空穴部を画成する内面とを有する前記細長いシリンダであって、前記シリンダ上端部は、その中央部で、前記シリンダリテーナクロージャの底部側に固定接続され、およびその前記中空穴部が、前記シリンダリテーナクロージャを貫通した該中央開口部と位置合わせされた状態でそこから垂下している、細長いシリンダと、
前記シリンダリテーナクロージャに対する回転運動のために、その上方側で前記シリンダリテーナクロージャに接続されているが、それらの間の相対軸方向運動に抗して固定された回転可能な作動カラーであって、前記シリンダリテーナクロージャを貫通した中央開口部と位置合わせされて、貫通する該中央開口部を有する、回転可能な作動カラーと、
該作動カラーを貫通した該中央開口部と関連する第１の弁手段と、第１の弁手段を開位置と閉位置との間で動かして、前記中央開口部を通る流体フローを選択的に遮断または可能にするように、第１の弁手段に接続されたバルブアクチュエータと、
前記作動カラーの中央部に固定された上端部と、前記シリンダの下端部に隣接する下端部とを有する細長いシャフトであって、前記シャフトは、前記シリンダリテーナクロージャ内で前記中央開口部を通って延び、前記シリンダ内に同軸に延び、前記作動カラーとともに回転可能であるが、それらの間の相対軸方向運動に抗して固定され、前記シャフトは、その長さ全体にわたって延びている内部中空穴部を有し、前記シャフトの前記中空穴部は、前記第１の弁手段と、前記シリンダの前記閉じた下端部を貫通した該開口部とに位置合わせされ、前記シャフトは、前記シリンダ内面に対して内側に離間したスプライン状の外側面と、前記シャフトの中空穴部と、前記シリンダの中空穴部との間の流体的連通を確立するその中の少なくとも１つの開口部とを有する、細長いシャフトと、
前記シリンダの閉じた下端部を貫通した前記開口部と関連する第２の弁手段であって、前記第２の弁手段は、前記シリンダの前記中空穴部への製品のフローを可能にするが、そこを通る逆のフローは防ぐように動作可能である、第２の弁手段と、
少なくとも１つの環状ピストンに対して、密閉された軸方向摺動関係で前記シャフトに取り付けられた該環状ピストンであって、前記ピストンは、前記シャフトに対する回転運動に抗して固定され、およびそれに対して密閉された摺動関係で前記シリンダの前記内面に係合された外側面を有する、少なくとも１つの環状ピストンと、
前記作動カラーおよび前記シャフトが、前記シリンダに対して第１の方向に回転した場合に、前記少なくとも１つのピストンを、前記シリンダ内で第１の方向で軸方向に動かすための、前記少なくとも１つのピストンの前記外側面と、前記シリンダの前記内面との間の相互係合手段であって、前記少なくとも１つのピストンの前記第１の方向での前記動きは、前記機構が製品の容器に取り付けられたときに、前記第２の弁手段を通って、およびシャフトの前記中空穴部へ、およびその中の前記開口部を通って、および前記シリンダの中空穴部に製品を引き込むように動作可能である、相互係合手段と、
前記少なくとも１つのピストンが前記第１の方向に動いたときにエネルギを蓄積する、前記少なくとも１つのピストンおよび前記シリンダに関連するエネルギ蓄積手段であって、前記エネルギ蓄積手段は、前記機構が、放出すべき製品の容器に取り付けられて、前記バルブアクチュエータが、前記第１の弁手段を開位置へ動かすように作動された場合、前記第１の方向と逆の第２の方向に前記少なくとも１つのピストンを動かして、前記シリンダの前記中空穴部に引き込まれた製品に圧力をかけて、前記第１の弁手段を通ってそれを前記シリンダリテーナクロージャ内に押し進めるように動作可能である、エネルギ蓄積手段と、を備えている。
【００２４】
本発明の第１の形態において、該エネルギ蓄積手段は、前記少なくとも１つのピストンを前記第２の方向へ動かすように前記ピストンに係合されたばねを備える。
【００２５】
本発明の第２の形態において、該エネルギ蓄積手段は、前記シリンダに接続された空気圧手段を備え、前記空気圧手段はガスを収容し、前記少なくとも１つのピストンの前記第１の方向への動きは、前記ガスを圧縮してそれを加圧するように作用し、前記加圧されたガスは、前記少なくとも１つのピストンに対して前記第２の方向に力を及ぼし、それにより、該機構が、放出すべき製品の容器に取り付けられたときに、前記少なくとも１つのピストンが第２の方向に動いて、第１の弁手段が開いた場合に、該シリンダ穴部から製品を吐出する。
【００２６】
本発明の第３の形態において、該エネルギ蓄積手段は、前記少なくとも１つのピストンが前記第１の方向に動かされて、前記少なくとも１つのピストンに前記第２の方向で力を及ぼした場合に、弾性部材が弾性的に変形するように、前記少なくとも１つのピストンに接続された弾性部材を備え、それにより、前記機構が、放出すべき製品の容器に取り付けられたときに、前記少なくとも１つのピストンは、前記第２の方向に動いて、前記第１の弁手段が開いた場合に、前記シリンダ穴部から製品を吐出する。
【００２７】
好適な実施形態において、該シャフトに取り付けられた２つのピストンがあり、前記ピストンは、前記作動カラーおよびシャフトが回転された場合、および前記第１の弁手段が開かれた場合に、互いの反対方向へ同時運動する。
【００２８】
好適な実施形態の一態様によれば、該２つのピストンは、該シリンダのそれぞれの両端部に静止位置を有し、各前記ピストンは、該作動カラーおよびシャフトの第１の方向での回転時に、該シリンダのそれらそれぞれの端部から離れて、該シリンダの長手方向中央部に向かう動きの前記第１の方向と、該シリンダの中央部から離れて、該シリンダのそれぞれの両端部に戻る方向の動きの前記第２の方向とを有する。該シャフトの両端部のそれぞれには開口部があり、それぞれのピストンと、該シリンダのそれぞれの隣接する端部との間の、該シャフト穴部と、該シリンダの両端部との間に流体的連通を確立しており、それにより、それらの第１の方向における該ピストンの動作時に、製品が、該シャフト穴部に、およびその中の該開口部を通って外側に流れ、該シリンダ穴部のそれぞれの両端部に入る。
【００２９】
該エネルギ蓄積手段は、該２つのピストン間に係合されたばねを備え、前記ばねは、それらの第１の方向における該ピストンの動作時に圧縮され、それらのそれぞれの第２の方向にある該ピストンを、該シリンダの中央部から、該シリンダのそれぞれの両端部に戻す方向に移動させるように動作可能であり、それにより、該機構が、放出すべき製品の容器に取り付けられたときに、該ピストンは、該シリンダ穴部の両端部において製品に圧力をかけて、第１の弁手段が開かれた場合に、それを該シャフト穴部に押し戻して、第１の弁手段を通って外側へ出す。
【００３０】
好適な実施形態の別の態様によれば、該２つのピストンは、該シリンダの長手方向中央部に静止位置を有し、各前記ピストンは、該作動カラーおよびシャフトの第１の方向での回転時に、それらの中央位置から離れて、該シリンダのそれぞれの両端部に向かう動きの第１の方向と、該シリンダのそれぞれの両端部から離れて、該シリンダの中央部に向かう動きの第２の方向とを有する。該シャフトの少なくとも１つの開口部は、それぞれのピストン間の、該シャフト穴部と、該シリンダ穴部の中央部との間で流体的連通を確立し、該機構が放出すべき製品の容器に取り付けられると、該ピストンのそれらの第１の方向への動作時に、製品が、該シャフト穴部に引き込まれて、その中の該開口部を通って外側へ出て、該シリンダ穴部の中央部に入る。該エネルギ蓄積手段は、該シリンダ穴部と接続された空気圧手段を備え、前記空気圧手段はガスを収容し、第１の方向への該ピストンの動きは、該ガスを圧縮して加圧するように作用し、前記加圧されたガスは、該ピストンの一方に力を及ぼして、それを第２の方向に移動させ、それにより、該シャフトを回転させて、他方のピストンをその第２の方向に動かし、それにより、該機構が、放出すべき製品の容器に取り付けられると、該ピストンは、第１の弁手段が開いたときに、それらの第２の方向に移動して、該シリンダ穴部の中央部にある製品に圧力をかけて、該シリンダ穴部から吐出する。
【００３１】
本発明のその他の特徴および利点は、以下の詳細な説明および図面から明らかになるであろう。
【００３２】
「動力源」、「発電機」および「エネルギ蓄積手段」という用語は、本願明細書においては、図２〜図７および図１５に示す実施形態のばね手段、図８〜図１０および図１７に示す実施形態の空気圧手段、および図１１〜図１４に示す実施形態の伸縮可能な弾性手段を言い表すために置き換え可能に用いられている。
【図面の簡単な説明】
【００３３】
【図１】容器のない状態の機構を示す、本発明による機械的に付勢された機構の全体側面図である。
【図２】対向するピストンが「静止位置」にある状態の本発明の第１の好適な形態を示す、図１の線２−２に沿った拡大断面図である。
【図３】図２と同様であるが、製品を放出する準備ができている装填または「充填」位置にある対向するピストンを示す断面図である。
【図４】図１〜図３の実施形態に用いられる二重動作シリンダの長手方向断面図である。
【図５】対向する上方ピストンおよび下方ピストンの両方と、それらが摺動する歯車付シャフトの、部分的に切り欠かれている部分分解側面図である。
【図６】ピストン内での外側被覆されたインサート歯シールへの歯車付シャフトの係合を示す、図５の線６−６に沿った断面図である。
【図７】本発明のアクチュエータアセンブリの大幅に拡大した部分長手方向断面図である。
【図８】ピストンが、製品を放出する準備ができている装填位置にあり、前述の実施形態のばねが、空気圧力発生器と置き換えられており、対向するらせん状構造の方向と、静止位置と装填位置との間でのピストンの動きの方向とが、前述の実施形態とは逆になっている、作動機構の別の実施形態の部分長手方向断面図である。
【図９】静止位置にあるピストンを示す、部分的に切り欠かれている図８の実施形態の部分長手方向断面図である。
【図１０】図８および図９の実施形態に用いられるシリンダのある縮尺での長手方向断面図である。
【図１１】静止を示し、図８の空気圧力発生器が、力発生器としての伸縮可能な弾性材料取付け具と置き換えられている、別の実施形態の長手方向拡大部分断面図である。
【図１２】図１１と同様であるが、ピストンが装填位置にあり、弾性取付け具が伸びて、放出する準備ができている状態を示す部分長手方向断面図である。
【図１３】その弛緩状態または未延伸状態で、ピストンへの取付け前を示す、図１１のアセンブリの伸縮可能な取付け具の側面図である。
【図１４】図１１に示す方向の逆を示す、図１１のアセンブリに用いられるピストンの側面図である。
【図１５】一方のピストンがなくなって、シリンダが、それを収容するように改良され、他のすべての部材は同一の機能を保持したままである、図２および図３に対する代替的な実施形態のさらに拡大した長手方向部分断面図である。
【図１６】すべての実施形態に採用されている通気を示す、図１５の線１６−１６に沿った断面図である。
【図１７】単一のピストンのみと、関連する空気圧力発生器とが用いられている、図８および図９に対する代替的な実施形態の長手方向部分断面図である。
【発明を実施するための形態】
【００３４】
本明細書の一部に組み込まれ、および本願明細書の一部を構成する添付図面は、本発明の好適な実施形態を説明し、およびその記述とともに、本発明の原理を説明するのに役立つものである。
【００３５】
図１〜図７において、アクチュエータの一回転で、持続性噴霧を便利に放出するための本発明による機構の第一の好適な実施形態を、大まかに符号１０で示す。該機構は、ポンプアセンブリ２０と、該ポンプアセンブリを作動させるためのアクチュエータアセンブリ１１０とを含む。
【００３６】
ポンプアセンブリ２０は、貫通する中央開口部２３を備えた横方向端壁２２と、該端壁の外周部から垂下する第１の壁部２４と、第１の壁部の底縁部に接合され、環状の上方に開いているポケット２６を画成するように、外側に離間した関係で、そこから第１の壁部まで上方へ延びている第２の壁部２５とを有するシリンダリテーナクロージャ２１を含む。第１の壁部２４は、該シリンダリテーナクロージャを容器Ｃの上端部に固定するための適切な手段２７を、その内面に有している。
【００３７】
開いた上端部および下端部と、その全体に及んでいる中空穴部３１を画成する内面とを有する細長いシリンダ３０は、その上端部が、シリンダリテーナクロージャ２１の下面に取り付けられて、そこから、該シリンダリテーナクロージャを貫通する中央開口部２３と位置合わせされて、該中空穴部とともに容器Ｃ内に垂下している。シリンダリテーナクロージャ２１上の複数の回転防止ラグ３２は、該シリンダと、該シリンダリテーナクロージャとの間の相対回転を防ぐように、シリンダ３０の上端部の鋸歯状フランジ３３と係合している。２つの対向する多条らせん状構造３４および３５は、シリンダ３０の内面に形成されて、該シリンダの長手方向中央部から、該シリンダのそれぞれの両端部から離間した位置まで、それぞれ反対方向に延びている。浸漬管レセプタ３６は、該シリンダの下端部に取り付けられ、およびそれに接続されている浸漬管３７と、該浸漬管から該シリンダ内へのフローを可能にするが、該シリンダから該浸漬管への逆のフローは防ぐように作動可能なボール逆止弁３９によって制御されるその中を通る流路３８とを有している。該浸漬管レセプタは、それぞれ該浸漬管および該シリンダ上の相互係合したフランジ４０および４１によって、該シリンダの端部に保持されている。
【００３８】
作動カラー５０は、回転のために、該シリンダリテーナクロージャ２１の上部に設けられ、および、貫通する中央開口部５３が、端壁２２を通る中央開口部２３と位置合わせされた状態で、該シリンダリテーナクロージャの端壁２２に重なっている横方向壁部５１を有している。円筒形シール壁部５４は、外側に離間した同心関係で、壁部５１の中央部から開口部２３および５３まで上方へ及び、壁部５１の外縁部の第１および第２の径方向に離間した円筒形壁部５５および５６は、上方に開いている環状ポケット５７を画成している。外側円筒形壁部５８は、壁部５６の上縁部に接続され、外側に離間した同心関係で、壁部５６まで下方へ及んでいる。壁部５８の下方部は、ポケット２６に回転可能に収容されるフォールススカート部５９を画成し、その外部上方部は、該作動カラーの回転を容易にするように、一連のグリップリブ６０をその上に有している。壁部５５の内側底縁部の複数の保持ボス６１は、該作動カラーの該シリンダリテーナクロージャに対する回転運動を可能にするが、それらの間の軸方向の移動は防ぐように、シリンダリテーナクロージャ２１の壁部２２の外縁部で、環状取付丸縁部６２の下に係合している。
【００３９】
該作動カラーと一体の細長い管状シャフト７０は、壁部５１の中央部から垂下し、および開口部２３を通って下方の該シリンダリテーナクロージャ内に延び、およびシリンダ３０内に同軸に延び、その下端部は、該シリンダの下端部に隣接して配置されている。該シャフトの外側面は、該シリンダの内面から径方向内側に離間しており、軸方向に延びているスプライン７１をその上に有している。該シャフトは、該作動カラーとともに回転可能であり、その長さ全体にわたって延びている内部中空穴部７２を有している。該穴部は、該作動カラーを貫通した中央開口部５３と、および該浸漬管レセプタの流路３８と位置合わせされている。フィードスロット７３および７４は、それぞれ該シャフトの両端部において、該シャフトの側部を通って開口しており、該シャフトの中空穴部と、該シリンダ穴部の両端部との間に流体的連通を確立している。
【００４０】
図１〜図７に示す本発明の構成においては、２つの環状ピストン８０および８１が、互いに対向する関係で、シャフト７０に摺動可能に取り付けられて、該シリンダ穴部を、該ピストン間の中央チャンバ８２と、該シリンダの両端部の製品装填チャンバ８３および８４とに分けている。該ピストンは、それぞれ、外側被覆された嵌め歯シールインサート８５および８６によって形成され、それらのインサートは、該ピストンと該シャフトとの間で流体密封シールを形成し、該シャフトとの回転のために該ピストンを固定するが、該シャフト上での該ピストンの軸方向摺動運動は可能にするように、該シャフト上のスプライン７１と協働する。図５を見て最もよく分かるように、各ピストンの外側面は、その面に、隆起したカム状のらせん状構造８７および８７’を有し、また、図２および図３を見て最もよく分かるように、該ピストンの向き合っている端部は、一連のリブ８９の内端で終端している環状チャネル８８をその中に有している。
【００４１】
中央チャンバ８２内のばね９０は、該ばねの両端部がチャネル８８内に収容され、およびリブ８９に接触して係合して、該ピストンを互いに離して、図２に示すそれらの静止位置へ押し込む状態で、該ピストン間に係合されている。作動カラー５０とシャフト７０が回転されると、該ピストン上のカム状のらせん状構造８７および８７’は、該シリンダ穴部内のらせん状構造３４および３５と協働して、該ピストンを互いに軸方向に向けて、図２に示すそれらの静止位置から、図３に示すそれらの装填位置まで移動させる。
【００４２】
第１の弁手段は、製品装填チャンバからの該製品の吐出を制御するために、作動カラー５０およびシャフト７０と関連している。第１の弁手段は、シール壁部５４の内側底部上の保持丸縁部１０１と、リテーナリング１００の外周部の周方向干渉丸縁部１０２との係合によって、作動カラー５０の開口部５３に保持された該リテーナリングを備えている。弁座延長部１０３は、開口部５３を通って、管状シャフト７０の上端部内に及んで、その下端部において、内側に先細になっている弁座１０４で終端している。
【００４３】
アクチュエータアセンブリ１１０は、機械的分解ユニット（ｍｅｃａｈｎｉｃａｌ  ｂｒｅａｋｕｐ  ｕｎｉｔ：ＭＢＵ）インサート１１２を有するアクチュエータ本体１１１と、該作動カラーの壁部５５の内面に対して往復動可能な垂下スカート部１１３と、シール壁部５４内で往復動可能な垂下中央ポスト１１４とを備えている。ポスト１１４の底端部のシール１１５は、壁部５４とともに摺動シールを行い、また、スカート部１１３の底端部の外側に向いているフランジ１１６は、該作動カラーに組み付けられた該アクチュエータ本体を保持するように、該作動カラーの壁部５５の上縁部の内側に向いているフランジ１１７の下に係合されている。バルブステム１１８は、ポスト１１４からリテーナリング１００を通って下方に延びている。該ステムの底端部の拡大されたバルブヘッド１１９は、該アクチュエータ本体が、図２、図３および図７に図示されているように、その静止位置にあるとき、リテーナリング１００の弁座１０４に当接している。
【００４４】
オーバーキャップ１３０は、該作動カラーのポケット５７に収容された垂下スカート部１３１を有している。
【００４５】
シャフト７０の上端部周辺の２つのシールリング１４０は、シリンダ３０の上部において、その静止位置にあって、ボトルシールガスケット１４１が、ボトルネック仕上げ１４２の上面と、シリンダリテーナクロージャ２１の下面領域との間に位置している場合、シリンダリテーナクロージャ２１の下面および上部ピストン８０の上方外表面に回転可能に接触している。
【００４６】
製品の放出を所望する場合、作動カラー５０と、取り付けてあるシャフト７０とが回転されて、ピストン８０、８１、シャフト間のスプライン状の係合のため、それらのピストンが回転させられる。さらに、該ピストンの外側面のらせん状構造８７，８７’と、該シリンダの内面のらせん状構造３４，３５との係合のために、該ピストンの回転運動が、該ピストンが図３に図示されている位置へ互いに向かっていく軸方向運動に変換される。この動作は、製品チャンバ８３および８４内に真空を生じさせて、製品をボール逆止弁３９を通してシャフト７０の穴部７２に引き込んで、そこからフィードスロット７３および７４を通して出し、チャンバ８３および８４に引き込む。また、この動作は、ばね９０を圧縮することで該ピストンに戻り力をかけ、該チャンバ内の製品に圧力をかける。バルブ１１９がシート１０４に当接している限り、その加圧された製品は、チャンバ８３および８４内に閉じ込められているが、該アクチュエータが押し下げられて、該バルブが離座させられると、該ばねが該ピストンに触れて、該製品をチャンバ８３および８４から、該フィードスロットを介して穴部７２へ戻してバルブ１１９を通し、該機械的分解ユニットまで押し戻す。該製品チャンバをフルに充填して、該アクチュエータが押し下げられたときに、さらなる動作を要することなく、持続性噴霧を得るためには、該作動カラーの一回転のみ必要である。製品が該チャンバからなくなると、該ユニットは、別の放出サイクルの準備が整った状態になる。
【００４７】
本発明の第二の好適な実施形態が、図８〜図１０に符号２００によって大まかに図示されている。本発明のこの構成は、前述の実施形態と同様に本質的には機能するが、ばね９０ではなく空気圧力発生器２１０を有し、リテーナリング１００が省かれており、シリンダ２１１がその端部間の中ほどに狭幅部分２１２を有し、対向するらせん状構造３４’および３５’が該シリンダの端部に向かって配置され、および図２〜図４におけるこれらの方向とは反対側に向けて配置され、ピストン８０’および８１’は端と端が逆になっており、およびそれらの静止位置と装填位置との間で、前述の実施形態におけるそれらの方向性および動きに対して反対方向に移動するという点で異なっている。加えて、シャフト７０’は、前述の実施形態と同様に、該シャフトの両端部において、フィードスロット７３および７４ではなく、その端部間の中ほどにフィード開口部２１３を有している。該ピストンは、図８においては装填位置に図示され、図９においては静止位置に図示されている。
【００４８】
空気圧力発生器２１０は、アダプタ２１５によって、シリンダ２１１の底端部に取り付けられた圧力チャンバ２１４を備えている。管状部材２１６は、該チャンバの底壁部２１７から、その開口した上端部まで、該チャンバ内に同軸に延びており、また、壁部２１７は、そこを貫通して装填チューブ２１９と連通している穴２１８を有している。穴２１８は、通常は、一方向ガスケット充填バルブ２２０によって覆われている。浸漬管２２１は、管状部材２１６に接続され、逆止弁ボール２２２は、該管状部材の上端部に当接している。延長端部２２４を有する駆動ピストン２２３は、圧力チャンバ２１４内で往復動可能であり、Ｏリング２２５および２２６によって、それぞれ、該チャンバ壁部と該管状部材とに対して摺動可能にシールされている。
【００４９】
使用時には、装填チューブ２１９および穴２１８を介して、装填前負荷がチャンバ２１４内にかけられ、駆動ピストン２２３に圧力がかけられて、延長端部２２４が該シリンダ内で図９に示す位置まで上方へ押し上げられる。ピストン８０’および８１’は、通常、図９に示すように、該駆動ピストンがピストン８０’に当接した状態で、該シリンダの中間部でそれらの静止位置にある。
【００５０】
放出サイクルを開始するためには、該作動カラーおよびそれに伴ってシャフト７０’が回転されて、該ピストン上のらせん状構造と、該シリンダ内のらせん状構造との係合によって、該ピストンは、図８に示すように、互いに軸方向に離れて、該シリンダの両端部の装填位置まで移動させられる。該ピストンのこの動きは、駆動ピストン２２３を下方へ押し込んで、チャンバ２１４内の空気装填物を圧縮し、該ピストン間の該シリンダ内に真空を生成し、製品を該浸漬管を通して、上方のボール弁２２２を通過させて、シャフト７０’の内部に引き込み、フィード開口部２１３を通って、該ピストン間の製品装填チャンバ２２６内に引き込む。チャンバ２１４内の圧縮された空気装填物は、該駆動ピストンをピストン８０’に押し付けて、該ピストンにチャンバ２２６内の製品に圧力をかけさせるが、該アクチュエータアセンブリのバルブ１１９が当接しているため、製品は該チャンバから抜け出すことができず、該ピストンは、図８に示すように、依然その装填位置にある。該アクチュエータが、バルブ１１９を離座させるように作動されると、チャンバ２２６から製品が抜け出せるようになって、ピストン８０’をシャフト７０’に沿って上方へ押し上げて、該シリンダの中心に向かって戻すように、圧縮された空気装填物が該駆動ピストンに作用する。該シャフトとピストンの間のスプライン式の接続と、該ピストンおよびシリンダのらせん状構造の係合とのために、下方のピストンのこの動きは、シャフト７０’の回転を引き起こし、結果、上方のピストン８１’は、該シャフトに沿って反対側のピストンへ向けて動かされ、チャンバ２２６内の製品が外部へ押し出されて、バルブ１１９のそばを通ってＭＢＵ１１２の中を通る。この時点で、該システムは、別の放出サイクルの準備ができている。
【００５１】
本発明の第三の好適な実施形態が、図１１〜図１４に符号３００で大まかに図示されている。本発明のこの構成においては、前述の実施形態の空気圧力発生器が、改良されたピストン３０２に取り付けられた伸縮可能な弾力発生器３０１に置き換えられている。
【００５２】
弾力発生器３０１は、アダプタ３０５によってシリンダ３０４の底端部に取り付けられ、その中心部が弁座３０７まで上方へ延びている管状部材３０６を有する、前述の実施形態におけるチャンバ２１４と同様の円筒形ハウジング３０３と、浸漬管２２０からのフローは可能にするが、逆のフローは防ぐ、その上端部の一方向ボール逆止弁３０８とを備えている。スプライン状シャフト７０’は、その下端部が、ハウジング３０３内の管状部材３０６の上端部と、わずかに離間して位置合わせされた対向関係になっている状態で、シリンダ３０４内に同軸に延びている。伸縮可能な弾性取付け具３０９は、該取付け具の一方の端部にわずかにはめ込まれた、径方向内側に向けられたフランジ３１０を有し、このフランジはシャフト７０’と管状部材３０６の向かい合う端部に挟まれている。該取付け具の他方の端部は、その中に上方向に直面するチャネル３１２を有する、径方向外側に向けられたフランジ３１１を有している。該改良されたピストンは、ハウジング３０３の内外で往復動するように適合された円筒形延長部３１３を有し、また、該延長部の端部は、チャネル３１２内にはめ込まれている。該ピストン本体は、図８〜図１０の実施形態と同様、それぞれ、スプライン状のシャフト７０’および該シリンダ内のらせん状構造３４’，３５’との協働のための嵌め歯シールインサート８５およびらせん状構造８７，８７’を有している。
【００５３】
その結果、アクチュエータカラー５０（図１１〜図１４には図示せず）が回転されると、取付けシャフト７０’は回転され、該スプライン状シャフトと嵌め歯インサートとの相互作用、および該ピストン上のらせん状構造と、該シリンダ内のらせん状構造との相互作用により、該ピストンが、図１１におけるその静止位置から、図１４におけるその装填位置まで動かされる。この動きは、シリンダ３０４内のチャンバ３１３内に真空を生成して、製品を浸漬管２２０内の上方へ通し、バルブ３０８のそばを通してチャンバ３１３内に引き込む。また、この動きは、取付け具３０９を、図１１に示すその緩和状態から、図１４に示すその伸びたエネルギ蓄積状態まで伸ばす。したがって、該アクチュエータアセンブリ内のバルブ１１９が離座されると、該取付け具は、該ピストン延長部を反対方向に引っ張って、該ピストンをシリンダ３０４内の上方へ追いやり、製品をチャンバ３１３から、開いたバルブ１１９を通ってＭＢＵ１１２へ押し込む。
【００５４】
本発明の第四の好適な実施形態が、図１５および図１６に、符号４００で大まかに図示されている。本発明のこの構成は、１つのピストン８１だけが用いられ、それに伴ってシリンダ３０’が短くされて、ばね９０が、該ピストンと浸漬管レセプタ３６との間に係合されていることを除いて、図２〜図７に図示されている構成と本質的に同じである。本発明のこの構成は、他のあらゆる点において、図２〜図７に図示されている構成と同一に機能する。
【００５５】
本願明細書に開示されている本発明のすべての構成とともに用いることができる１つの適当な排気手段を図７、図１５および図１６に示す。該排気手段は、シリンダリテーナクロージャ２１の壁部２２を貫通する通気口４０４と、通常は、該通気口を閉じているが、該作動カラーが回された場合には、該通気口を露出させる、作動カラー５０の壁部５１の下面にあるシールパッド４０５とを備えている。排気は、放出サイクル中の容器Ｃ内への空気の補充を可能にして、該容器内での圧力差平衡を実現する。
【００５６】
図１７は、該ピストンのうちの一方が省かれており、単一のピストン８０’と、それに対応して短くされたシリンダ２１１’とが用いられていることを除いて、図８〜図１０に示す構成と実質的に同一である別の実施形態を示す。本発明のこの構成は、他のあらゆる点において、図８〜図１０に示す構成と同一に機能する。
【００５７】
すべての実施形態は、設計上、左右のどちらも可能な、該作動カラーの一回転を要する。該作動カラーの回転は、対向するピストン、または、いくつかの実施形態においては１つのピストンを、歯車付シャフトに沿って動かして、製品をインレット逆止弁手段を通って空洞チャンバまたはチャンバ内に引き込む真空を生成させる。また、該１つ以上のピストンの動きは、エネルギ蓄積手段にエネルギを蓄積する。一旦この動作が実施されると、アウトレット弁手段は、該エネルギ蓄積手段の影響下で、該製品の該噴霧ヘッドアクチュエータを介した放出を防ぐ。該噴霧アクチュエータヘッドを押し下げることにより、該製品が所定の持続期間にわたって放出される。排気は、各放出サイクル中に行われる。また、該排気手段は、その送り先へのパッケージ配送のためのシッパーシールとしても役立つ。本発明の利便性は、製品の短時間の噴出を得るために、アクチュエータを繰り返し上下動させる必要がなく、従来の機械的に作動するシステムを作動させる際の指の疲労もなくなるため、従来の化学的に駆動されるシステムの利便性に近い。本願明細書に開示されている実施形態は、今までは手に入らなかった持続性噴霧および利便性を手頃な価格で実現できる。
【００５８】
上記で示されているように、上記の実施形態に関する多くの変更例および組合せを構成することができ、それらの実施形態は、当業者が容易に思い付くため、本発明を、図示されおよび本願明細書に記載されている構造およびプロセスに厳密に限定することは望ましくない。したがって、添付クレームによって定義される本発明の範囲内にあるすべての適当な変更例および等価物に関する手段を講じてもよい。「備える」、「備えている」、「含む」および「含んでいる」という用語は、この明細書および以下のクレームにおいて用いる場合、記述された形状構成またはステップの存在を明記することが意図されているが、それらの用語は、その他の１つ以上の形状構成、ステップまたはそれらの群の存在または追加を除外するものではない。
【図１】
0005828181.tif 000002
【図２】
0005828181.tif 000003
【図３】
0005828181.tif 000004
【図４】
0005828181.tif 000005
【図５】
0005828181.tif 000006
【図６】
0005828181.tif 000007
【図７】
0005828181.tif 000008
【図８】
0005828181.tif 000009
【図９】
0005828181.tif 000010
【図１０】
0005828181.tif 000011
【図１１】
0005828181.tif 000012
【図１２】
0005828181.tif 000013
【図１３】
0005828181.tif 000014
【図１４】
0005828181.tif 000015
【図１５】
0005828181.tif 000016
【図１６】
0005828181.tif 000017
【図１７】
0005828181.tif 000018